(57)【特許請求の範囲】
【請求項１】
移動機と、無線基地局とを含む符号分割多元接続方式の移動通信システムであって、
前記移動機は、セル選択指示に応答して、以前存在したことがあるセルの履歴に応じて選択すべき移行対象セルへの移行処理を抑制制御する抑制制御手段を含み、
前記抑制制御手段は、前記移行対象セルが前記履歴にある場合、前記移行処理を抑制し、
前記抑制制御手段は、前記セル選択指示が所定回数なされた場合、前記移行処理をなし、
前記抑制制御手段は、現に存在しているセルの無線基地局からの受信電波状況の劣化を検出して前記セル選択指示を生成出力するセル選択指示生成手段を有することを特徴とする移動通信システム。
【請求項２】
前記抑制制御手段は、前記セル選択指示を計数する計数手段を有し、その計数手段の計数値と前記所定回数とを比較してこの比較結果に応じて前記移行処理の制御をなすことを特徴とする請求項１記載の移動通信システム。
【請求項３】
移動機と、無線基地局とを含む符号分割多元接続方式の移動通信システムであって、
前記移動機は、所定時間内におけるセル選択指示発生回数と、以前存在したことがあるセルの履歴とに応じて選択すべき移行対象セルへの移行処理を抑制制御する抑制制御手段を含み、
前記抑制制御手段は、前記所定時間内に発生された前記セル選択指示の各々の移行対象セルが前記履歴にある場合には、前記セル選択指示発生回数が所定値に達するまでは、前記移行処理を抑制し、
前記抑制制御手段は、前記セル選択指示発生回数が所定値に達したときに初めて、前記移行処理をなし、
前記抑制制御手段は、現に存在しているセルの無線基地局からの受信電波状況の劣化を検出して前記セル選択指示を生成出力するセル選択指示生成手段を有することを特徴とする移動通信システム。
【請求項４】
前記抑制制御手段は、前記所定時間内に発生された前記セル選択指示の各々の移行対象セルが前記履歴にない場合には、直ちに前記移行処理をなすようにしたことを特徴とする請求項３記載の移動通信システム。
【請求項５】
前記抑制制御手段は、前記所定時間経過後に前記履歴を初期化することを特徴とする請求項３または４記載の移動通信システム。
【請求項６】
前記抑制制御手段は、前記所定時間を計時する計時手段を有し、前記移行処理が抑制されたとき前記計時手段を起動せしめることを特徴とする請求項３〜５いずれか記載の移動通信システム。
【請求項７】
前記所定回数は、前記セル選択指示の頻度に応じた値であることを特徴とする請求項１または２記載の移動通信システム。
【請求項８】
前記所定時間は、前記セル選択指示の頻度に応じた値であることを特徴とする請求項３〜６いずれか記載の移動通信システム。
【請求項９】
移動機と、無線基地局とを含む符号分割多元接続方式の移動通信システムに用いられる移動機であって、
セル選択指示に応答して、以前存在したことがあるセルの履歴に応じて選択すべき移行対象セルへの移行処理を抑制制御する抑制制御手段を含み、
前記抑制制御手段は、前記移行対象セルが前記履歴にある場合、前記移行処理を抑制し、
前記抑制制御手段は、前記セル選択指示が所定回数なされた場合、前記移行処理をなし、
前記抑制制御手段は、現に存在しているセルの無線基地局からの受信電波状況の劣化を検出して前記セル選択指示を生成出力するセル選択指示生成手段を有することを特徴とする移動機。
【請求項１０】
前記抑制制御手段は、前記セル選択指示を計数する計数手段を有し、その計数手段の計数値と前記所定回数とを比較してこの比較結果に応じて前記移行処理の制御をなすことを特徴とする請求項９記載の移動機。
【請求項１１】
移動機と、無線基地局とを含む符号分割多元接続方式の移動通信システムに用いられる移動機であって、
所定時間内におけるセル選択指示発生回数と、以前存在したことがあるセルの履歴とに応じて選択すべき移行対象セルへの移行処理を抑制制御する抑制制御手段を含み、
前記抑制制御手段は、前記所定時間内に発生された前記セル選択指示の各々の移行対象セルが前記履歴にある場合には、前記セル選択指示発生回数が所定値に達するまでは、前記移行処理を抑制し、
前記抑制制御手段は、前記セル選択指示発生回数が所定値に達したときに初めて、前記移行処理をなし、
前記抑制制御手段は、現に存在しているセルの無線基地局からの受信電波状況の劣化を検出して前記セル選択指示を生成出力するセル選択指示生成手段を有することを特徴とする移動機。
【請求項１２】
前記抑制制御手段は、前記所定時間内に発生された前記セル選択指示の各々の移行対象セルが前記履歴にない場合には、直ちに前記移行処理をなすようにしたことを特徴とする請求項１１記載の移動機。
【請求項１３】
前記抑制制御手段は、前記所定時間経過後に前記履歴を初期化することを特徴とする請求項１１または１２記載の移動機。
【請求項１４】
前記抑制制御手段は、前記所定時間を計時する計時手段を有し、前記移行処理が抑制されたとき前記計時手段を起動せしめることを特徴とする請求項１１〜１３いずれか記載の移動機。
【請求項１５】
前記所定回数は、前記セル選択指示の頻度に応じた値であることを特徴とする請求項９または１０記載の移動機。
【請求項１６】
前記所定時間は、前記セル選択指示の頻度に応じた値であることを特徴とする請求項１１〜１４いずれか記載の移動機。
【請求項１７】
移動機と、無線基地局とを含む符号分割多元接続方式の移動通信システムに用いられる移動機における制御方法であって、
セル選択指示に応答して、以前存在したことがあるセルの履歴に応じて選択すべき移行対象セルへの移行処理を抑制制御する抑制制御ステップを含み、
前記抑制制御ステップは、前記移行対象セルが前記履歴にある場合、前記移行処理を抑制し、
前記抑制制御ステップは、前記セル選択指示が所定回数なされた場合、前記移行処理をなし、
前記抑制制御ステップは、現に存在しているセルの無線基地局からの受信電波状況の劣化を検出して前記セル選択指示を生成出力するセル選択指示生成ステップを有することを特徴とする制御方法。
【請求項１８】
前記抑制制御ステップは、前記セル選択指示を計数する計数ステップを有し、その計数ステップによる計数値と前記所定回数とを比較してこの比較結果に応じて前記移行処理の制御をなすことを特徴とする請求項１７記載の制御方法。
【請求項１９】
移動機と、無線基地局とを含む符号分割多元接続方式の移動通信システムに用いられる移動機における制御方法であって、
所定時間内におけるセル選択指示発生回数と、以前存在したことがあるセルの履歴とに応じて選択すべき移行対象セルへの移行処理を抑制制御する抑制制御ステップを含み、
前記抑制制御ステップは、前記所定時間内に発生された前記セル選択指示の各々の移行対象セルが前記履歴にある場合には、前記セル選択指示発生回数が所定値に達するまでは、前記移行処理を抑制し、
前記抑制制御ステップは、前記セル選択指示発生回数が所定値に達したときに初めて、前記移行処理をなし、
前記抑制制御ステップは、現に存在しているセルの無線基地局からの受信電波状況の劣化を検出して前記セル選択指示を生成出力するセル選択指示生成ステップを有することを特徴とする制御方法。
【請求項２０】
前記抑制制御ステップは、前記所定時間内に発生された前記セル選択指示の各々の移行対象セルが前記履歴にない場合には、直ちに前記移行処理をなすようにしたことを特徴とする請求項１９記載の制御方法。
【請求項２１】
前記抑制制御ステップは、前記所定時間経過後に前記履歴を初期化することを特徴とする請求項１９または２０記載の制御方法。
【請求項２２】
前記抑制制御ステップは、前記所定時間を計時する計時ステップを有し、前記移行処理が抑制されたとき前記計時ステップによる計時を起動せしめることを特徴とする請求項１９〜２１いずれか記載の制御方法。
【請求項２３】
前記所定回数は、前記セル選択指示の頻度に応じた値であることを特徴とする請求項１７または１８記載の制御方法。
【請求項２４】
前記所定時間は、前記セル選択指示の頻度に応じた値であることを特徴とする請求項１９〜２２いずれか記載の制御方法。
【請求項２５】
移動機と、無線基地局とを含む符号分割多元接続方式の移動通信システムに用いられる移動機における制御方法をコンピュータに実行させるためのプログラムであって、
セル選択指示に応答して、以前存在したことがあるセルの履歴に応じて選択すべき移行対象セルへの移行処理を抑制制御する抑制制御ステップを含み、
前記抑制制御ステップは、前記移行対象セルが前記履歴にある場合、前記移行処理を抑制し、
前記抑制制御ステップは、前記セル選択指示が所定回数なされた場合、前記移行処理をなし、
前記抑制制御ステップは、現に存在しているセルの無線基地局からの受信電波状況の劣化を検出して前記セル選択指示を生成出力するセル選択指示生成ステップを有することを特徴とするプログラム。
【請求項２６】
前記抑制制御ステップは、前記セル選択指示を計数する計数ステップを有し、その計数ステップによる計数値と前記所定回数とを比較してこの比較結果に応じて前記移行処理の制御をなすことを特徴とする請求項２５記載のプログラム。
【請求項２７】
移動機と、無線基地局とを含む符号分割多元接続方式の移動通信システムに用いられる移動機における制御方法をコンピュータに実行させるためのプログラムであって、
所定時間内におけるセル選択指示発生回数と、以前存在したことがあるセルの履歴とに応じて選択すべき移行対象セルへの移行処理を抑制制御する抑制制御ステップを含み、
前記抑制制御ステップは、前記所定時間内に発生された前記セル選択指示の各々の移行対象セルが前記履歴にある場合には、前記セル選択指示発生回数が所定値に達するまでは、前記移行処理を抑制し、
前記抑制制御ステップは、前記セル選択指示発生回数が所定値に達したときに初めて、前記移行処理をなし、
前記抑制制御ステップは、現に存在しているセルの無線基地局からの受信電波状況の劣化を検出して前記セル選択指示を生成出力するセル選択指示生成ステップを有することを特徴とするプログラム。
【請求項２８】
前記抑制制御ステップは、前記所定時間内に発生された前記セル選択指示の各々の移行対象セルが前記履歴にない場合には、直ちに前記移行処理をなすようにしたことを特徴とする請求項２７記載のプログラム。
【請求項２９】
前記抑制制御ステップは、前記所定時間経過後に前記履歴を初期化することを特徴とする請求項２７または２８記載のプログラム。
【請求項３０】
前記抑制制御ステップは、前記所定時間を計時する計時ステップを有し、前記移行処理が抑制されたとき前記計時ステップによる計時を起動せしめることを特徴とする請求項２７〜２９いずれか記載のプログラム。
【請求項３１】
前記所定回数は、前記セル選択指示の頻度に応じた値であることを特徴とする請求項２５または２６記載のプログラム。
【請求項３２】
前記所定時間は、前記セル選択指示の頻度に応じた値であることを特徴とする請求項２７〜３０いずれか記載のプログラム。
【発明の詳細な説明】
【０００１】
【発明の属する技術分野】
本発明は移動通信システム、それに用いられる移動機及びその制御方法並びにプログラムに関し、特に移動機と無線基地局とを含む符号分割多元接続方式の移動通信システム、それに用いられる移動機及びその制御方法並びにプログラムに関する。
【０００２】
【従来の技術】
従来の移動通信システムにおいて、移動機(UE:User Equipment) の位置登録を行う場合、ＵＥの存在する範囲を示す位置登録エリア(LA:Location Area)を予め設定しておき、ＵＥがどのＬＡにいるかという位置登録情報をホームメモリ(HM:Home Memory)局と呼ばれるデータベースシステムに記録している。そして、ＵＥは、ＬＡを移動して、他のＬＡに移動した際に位置登録を行い、ＨＭ局の位置登録情報が書き換えられることで、ＵＥがどこに移動しても常にどのＬＡ内に存在しているかがＨＭ局で検索できるようになっている。
【０００３】
したがって、ＵＥに対する着信制御の際、ＨＭ局に書込まれているＵＥの位置登録情報を参照し、そのＬＡ内の全ての無線基地局装置(BTS:Base Transceiver Station)から着呼信号が送出されることとなる。
【０００４】
【発明が解決しようとする課題】
ここで、従来の移動通信システムでは、ＵＥは、ＢＴＳから送出される制御信号の受信レベルを測定し、在圏無線ゾーン（セル）の判定を行っている。図８は在圏無線ゾーンの判定方法について説明するための図である。図８において、ＵＥは、現に存在しているセルを形成するＢＴＳから送信される制御信号の受信電界強度を測定しており、一定時間（Ｔselection ［ｓｅｃ］）の間、測定された受信電界強度が例えば閾値（Ｐth［ｄＢ］）を越える値を維持した場合、ゾーン移行処理を行わない。しかし、ＵＥは、Ｔselection の間、測定された受信電界強度が例えば所定回数Ｐthを下回った場合、ゾーン移行処理を行うこととしている。なお、ゾーン移行処理はセルの切替え処理であり、ゾーン移行処理には位置登録処理が含まれていることは勿論である。
【０００５】
したがって、ＬＡの境界付近で、双方のＬＡの制御信号の受信電界強度が入り組んでいると、そこを通過するＵＥが双方のＬＡに移動したと判断してしまい、次々に位置登録を繰り返してしまう、いわゆるバタツキといわれる現象によって位置登録トラヒックが増加してしまうという問題がある。
【０００６】
本発明の目的は、位置登録エリアの隣接地域における移動機の移動や電波伝播環境の変化等による位置登録のバタツキ現象を抑えることができる移動通信システム、それに用いられる移動機及びその制御方法並びにプログラムを提供することである。
【０００７】
【課題を解決するための手段】
本発明による移動通信システムは、移動機と、無線基地局とを含む符号分割多元接続方式の移動通信システムであって、前記移動機は、セル選択指示に応答して、以前存在したことがあるセルの履歴に応じて選択すべき移行対象セルへの移行処理を抑制制御する抑制制御手段を含み、前記抑制制御手段は、前記移行対象セルが前記履歴にある場合、前記移行処理を抑制し、前記抑制制御手段は、前記セル選択指示が所定回数なされた場合、前記移行処理をなし、前記抑制制御手段は、現に存在しているセルの無線基地局からの受信電波状況の劣化を検出して前記セル選択指示を生成出力するセル選択指示生成手段を有することを特徴とする。
【００１０】
本発明による別の移動通信システムは、移動機と、無線基地局とを含む符号分割多元接続方式の移動通信システムであって、前記移動機は、所定時間内におけるセル選択指示発生回数と、以前存在したことがあるセルの履歴とに応じて選択すべき移行対象セルへの移行処理を抑制制御する抑制制御手段を含み、前記抑制制御手段は、前記所定時間内に発生された前記セル選択指示の各々の移行対象セルが前記履歴にある場合には、前記セル選択指示発生回数が所定値に達するまでは、前記移行処理を抑制し、前記抑制制御手段は、前記セル選択指示発生回数が所定値に達したときに初めて、前記移行処理をなし、前記抑制制御手段は、現に存在しているセルの無線基地局からの受信電波状況の劣化を検出して前記セル選択指示を生成出力するセル選択指示生成手段を有することを特徴とする。
【００１１】
また、前記移動通信システムにおいて、前記所定回数や前記所定時間は、前記セル選択指示の頻度に応じた値であることを特徴とする。
【００１２】
本発明による移動機は、移動機と、無線基地局とを含む符号分割多元接続方式の移動通信システムに用いられる移動機であって、セル選択指示に応答して、以前存在したことがあるセルの履歴に応じて選択すべき移行対象セルへの移行処理を抑制制御する抑制制御手段を含み、前記抑制制御手段は、前記移行対象セルが前記履歴にある場合、前記移行処理を抑制し、前記抑制制御手段は、前記セル選択指示が所定回数なされた場合、前記移行処理をなし、前記抑制制御手段は、現に存在しているセルの無線基地局からの受信電波状況の劣化を検出して前記セル選択指示を生成出力するセル選択指示生成手段を有することを特徴とする。
【００１３】
本発明による別の移動機は、移動機と、無線基地局とを含む符号分割多元接続方式の移動通信システムに用いられる移動機であって、所定時間内におけるセル選択指示発生回数と、以前存在したことがあるセルの履歴とに応じて選択すべき移行対象セルへの移行処理を抑制制御する抑制制御手段を含み、前記抑制制御手段は、前記所定時間内に発生された前記セル選択指示の各々の移行対象セルが前記履歴にある場合には、前記セル選択指示発生回数が所定値に達するまでは、前記移行処理を抑制し、前記抑制制御手段は、前記セル選択指示発生回数が所定値に達したときに初めて、前記移行処理をなし、前記抑制制御手段は、現に存在しているセルの無線基地局からの受信電波状況の劣化を検出して前記セル選択指示を生成出力するセル選択指示生成手段を有することを特徴とする。
【００１４】
本発明による制御方法は、移動機と、無線基地局とを含む符号分割多元接続方式の移動通信システムに用いられる移動機における制御方法であって、セル選択指示に応答して、以前存在したことがあるセルの履歴に応じて選択すべき移行対象セルへの移行処理を抑制制御する抑制制御ステップを含み、前記抑制制御ステップは、前記移行対象セルが前記履歴にある場合、前記移行処理を抑制し、前記抑制制御ステップは、前記セル選択指示が所定回数なされた場合、前記移行処理をなし、前記抑制制御ステップは、現に存在しているセルの無線基地局からの受信電波状況の劣化を検出して前記セル選択指示を生成出力するセル選択指示生成ステップを有することを特徴とする。
【００１５】
本発明による別の制御方法は、移動機と、無線基地局とを含む符号分割多元接続方式の移動通信システムに用いられる移動機における制御方法であって、所定時間内におけるセル選択指示発生回数と、以前存在したことがあるセルの履歴とに応じて選択すべき移行対象セルへの移行処理を抑制制御する抑制制御ステップを含み、前記抑制制御ステップは、前記所定時間内に発生された前記セル選択指示の各々の移行対象セルが前記履歴にある場合には、前記セル選択指示発生回数が所定値に達するまでは、前記移行処理を抑制し、前記抑制制御ステップは、前記セル選択指示発生回数が所定値に達したときに初めて、前記移行処理をなし、前記抑制制御ステップは、現に存在しているセルの無線基地局からの受信電波状況の劣化を検出して前記セル選択指示を生成出力するセル選択指示生成ステップを有することを特徴とする。
【００１６】
本発明によるプログラムは、移動機と、無線基地局とを含む符号分割多元接続方式の移動通信システムに用いられる移動機における制御方法をコンピュータに実行させるためのプログラムであって、セル選択指示に応答して、以前存在したことがあるセルの履歴に応じて選択すべき移行対象セルへの移行処理を抑制制御する抑制制御ステップを含み、前記抑制制御ステップは、前記移行対象セルが前記履歴にある場合、前記移行処理を抑制し、前記抑制制御ステップは、前記セル選択指示が所定回数なされた場合、前記移行処理をなし、前記抑制制御ステップは、現に存在しているセルの無線基地局からの受信電波状況の劣化を検出して前記セル選択指示を生成出力するセル選択指示生成ステップを有することを特徴とする。
【００１７】
本発明による別のプログラムは、移動機と、無線基地局とを含む符号分割多元接続方式の移動通信システムに用いられる移動機における制御方法をコンピュータに実行させるためのプログラムであって、所定時間内におけるセル選択指示発生回数と、以前存在したことがあるセルの履歴とに応じて選択すべき移行対象セルへの移行処理を抑制制御する抑制制御ステップを含み、前記抑制制御ステップは、前記所定時間内に発生された前記セル選択指示の各々の移行対象セルが前記履歴にある場合には、前記セル選択指示発生回数が所定値に達するまでは、前記移行処理を抑制し、前記抑制制御ステップは、前記セル選択指示発生回数が所定値に達したときに初めて、前記移行処理をなし、前記抑制制御ステップは、現に存在しているセルの無線基地局からの受信電波状況の劣化を検出して前記セル選択指示を生成出力するセル選択指示生成ステップを有することを特徴とする。
【００１８】
本発明の作用は次の通りである。移動機の抑制制御手段が、セル選択指示に応答して、以前存在したことがあるセルの履歴を参照することにより、在圏セルから移行対象セルへの移行処理を抑制制御する。具体的には、移行対象セルが履歴にある場合は移行処理が抑制されることになる。また、セル選択指示が所定回数なされた場合、移行対象セルが履歴にあるか否かにかかわらず移行処理が行われる。さらに、時間のパラメータを追加して、所定時間内のセル選択指示の発生回数と履歴とを基にして移行処理が抑制制御される。そしてさらに、セル選択指示の頻度に応じて、上記所定回数及び所定時間が設定される。このため、移行処理が効果的に抑制され、その結果、移行処理による在圏セルから他のセルへの移行によってＬＡが移行前のものから変化する場合になされる位置登録処理も抑制されることになる。
【００１９】
【発明の実施の形態】
以下に、本発明の実施例について図面を用いて説明する。図１は本発明の実施例による移動通信システムの構成を示す図である。図１において、本発明の実施例による移動通信システムは、符号分割多元接続(CDMA:Code Division Multiple Access)方式を採用しており、移動機(UE:User Equipment) １と、無線基地局装置(BTS:Base Transceiver Station)２０，３０及び４０とを有している。ここで、ＢＴＳ２０によって形成されるセルは符号２００にて示され、ＢＴＳ３０によって形成されるセルは符号３００にて示され、ＢＴＳ４０によって形成されるセルは符号４００にて示されている。ＵＥ１はセル２００内に存在しており、セル２００の境界付近では、ＵＥ１はＢＴＳ２０，３０及び４０の各々からの制御信号を同時に受信することができる。なお、ＢＴＳが複数の指向性アンテナを用いてセクタ化されている場合は、個々のセクタのことをセルと称するものとする。
【００２０】
図２は本発明の第一の実施例による移動機の構成を示す機能ブロック図である。図２に示した本発明の第一の実施例による移動機は図１に示した移動通信システムに用いられるものであるので、以下、本発明の第一の実施例による移動機をＵＥ１と称す。
【００２１】
図２において、ＵＥ１は、制御回路２と、アンテナ３と、受信回路４と、スクランブルコード(SC:Scrambling Code)検出部５と、電界強度測定部６と、セル再選択(CR:Cell Reselection) 指示生成部７と、メモリ８と、ＣＲカウンタ（ＣＲ指示回数カウンタ）１０と、送信回路１３とを有している。
【００２２】
アンテナ３は、図１に示したＢＴＳ２０，３０及び４０のうち少なくとも一つのＢＴＳとの間で電波の送受信を行うものである。受信回路４は、アンテナ３からの受信信号に対して所定の処理を施して、ＳＣ検出部５及び電界強度測定部６へ出力する。送信回路１３は、アンテナ３を介してＢＴＳへ無線信号を送信するためのものである。ＳＣ検出部５は、受信回路４からの受信信号を基に、セルを識別するための第１共通パイロットチャネル(P-CPICH:Primary-Common Pilot   Channel)のＳＣを検出して制御回路２へ出力する。
【００２３】
電界強度測定部６は、在圏セルの受信レベルを測定して、測定結果をＣＲ指示生成部７へ出力する。すなわち、電界強度測定部６は、制御回路２から通知されるＵＥ１が現在存在しているセルを示すＳＣを使用することにより受信回路４からの受信信号を復調して、その受信電界強度を測定する。ＣＲ指示生成部７は、図８に示すように、電界強度測定部６の測定結果を監視しており、一定時間（Ｔselection ［ｓｅｃ］）の間の測定結果が例えば所定回数閾値（Ｐth［ｄＢ］）を下回った場合、ＵＥ１が現在存在しているセルのＢＴＳからの受信電波状況が劣化したと認識する。受信電波状況の劣化を検出したＣＲ指示生成部７は、ＣＲ指示を生成して制御回路２へ出力する。
【００２４】
メモリ８は、ＵＥ１が以前存在していたセルの履歴９を保持しており、ゾーン移行処理により移行したセルを示すＳＣが、制御回路２によって履歴９に書込まれる。なお、ゾーン移行処理はセルの切替え処理であり、ゾーン移行処理には位置登録処理が含まれていることは勿論である。
【００２５】
図３は図２に示した履歴９の構成例を示す図であり、図２と同等部分は同一符号にて示している。図３において、履歴９には、ＳＣ１〜ＳＣＮ（Ｎは２以上の整数）が格納されており、これらＳＣ１〜ＳＣＮにより、ＵＥ１が以前存在していたＮ個のセルを知ることができる。ここで、Ｎはメモリ８の不揮発領域にて設定可能である。ゾーン移行処理により移行したセルを示すＳＣは、ＳＣ１から順に書込まれるようになっており、Ｎ個を超えて書込まれる場合には、書込まれる度に古いＳＣから順に削除されていく。すなわち、ＳＣ１に格納されていたものが削除され、そこにＳＣ２に格納されていたものが新たに格納し直されるもので、以降順次格納内容が繰り上がるようになっているものとするが、この方法に限定されることはない。
【００２６】
図２において、ＣＲカウンタ１０は、制御回路２の制御によって、ＣＲ指示生成部７からのＣＲ指示をカウントする。制御回路２は、ＣＲ指示生成部７からのＣＲ指示に応答して履歴９を参照することにより、移行対象セルへのゾーン移行処理を抑制制御し、また、ＣＲカウンタ１０のカウント値が所定の最大ＣＲ指示回数値(MAX) に達したならば、履歴９の内容にかかわらずゾーン移行処理を行う。
【００２７】
次に、本発明の第一の実施例による移動機の動作について図面を用いて説明する。図４は図２に示した移動機の動作を説明するためのフローチャートである。なお、Ｐｈｙ−ｓｉｄｅ(Physical-Side) はＵＥ１のレイヤ１（物理層）に相当し、無線リソースの管理を行う。また、ＲＲＣ−ｓｉｄｅ(Radio Resource     Control-Side) はＵＥ１のレイヤ３（ネットワーク層）に相当し、無線制御を行う。
【００２８】
図１，２及び４において、電界強度測定部６は、在圏セル２００の受信電界強度を測定し、測定された受信電界強度をＣＲ指示生成部７に出力している（ステップＡ１）。ＣＲ指示生成部７は、測定された受信電界強度を監視しており、ＵＥ１が現在存在しているセル２００のＢＴＳ２０からの受信電波状況が劣化したことを検出すると（ステップＡ２，Ｙｅｓ）、ＣＲ指示を生成して制御回路２へ出力する（ステップＡ３）。そして、再びステップＡ１に戻る。また、ステップＡ２において、受信電波状況が劣化していない場合（ステップＡ２，Ｎｏ）、ＣＲ指示が出力されることなく再びステップＡ１に戻ることになる。以上のステップＡ１〜Ａ３がＵＥ１のＰｈｙ−ｓｉｄｅの動作である。
【００２９】
ＵＥ１のＲＲＣ−ｓｉｄｅは、ステップＢ７におけるゾーン移行処理がなされた後、待ち受け状態となり（ステップＢ１）、制御回路２は、ＣＲカウンタ１０のカウント値をリセットする（ステップＢ２）。そして、制御回路２は、ステップＡ３におけるＣＲ指示生成部７からのＣＲ指示があった場合（ステップＢ３，Ｙｅｓ）、ゾーン移行処理をなすか、あるいは抑制するかを判断すべくステップＢ４に進むことになる。また、制御回路２は、ＣＲ指示がない場合（ステップＢ３，Ｎｏ）、ゾーン移行処理をなす必要がそもそもないので、ＣＲ指示を受信するまで待機することになる。
【００３０】
ステップＢ４において、制御回路２は、ＣＲカウンタ１０のカウント値と所定の最大ＣＲ指示回数値(MAX) とを比較して、カウント値が最大ＣＲ指示回数値より小である場合（ステップＢ４，Ｎｏ）、履歴９を参照することになる（ステップＢ５）。また、制御回路２は、ＣＲカウンタ１０のカウント値が最大ＣＲ指示回数値に達している場合（ステップＢ４，Ｙｅｓ）、履歴９を参照することなくゾーン移行処理をなす（ステップＢ７）。なお、最大ＣＲ指示回数値は、メモリ８の不揮発領域で設定可能である。
【００３１】
ステップＢ５において、制御回路２は、ＳＣ検出部５により検出されたＳＣの内、ゾーン移行処理の際に選択すべき移行対象セルを示すＳＣを、履歴９に格納されているＳＣと順次比較する。そして、制御回路２は、移行対象セルを示すＳＣが履歴９にある場合、すなわち移行対象セルが以前存在していたセル(OLD    CELL) である場合（ステップＢ５，ＯＬＤ）、ＣＲカウンタ１０のカウント値をインクメントし（ステップＢ６）、ステップＢ３に戻る。
【００３２】
一方、制御回路２は、移行対象セルを示すＳＣが履歴９にない場合、すなわち移行対象セルが以前存在していたセル以外のセル(NEW CELL)である場合（ステップＢ５，ＮＥＷ）、ゾーン移行処理をなす（ステップＢ７）。ステップＢ７において、制御回路２は、移行対象セルの内、適切な一の移行対象セルを選択して、ＵＥ１が現在存在するセル２００から選択された移行対象セルへ切替え、選択された移行対象セルを示すＳＣを履歴９に最新履歴として書込む。なお、ステップＢ７のゾーン移行処理において、選択された移行対象セルへの移行によって、位置登録エリア(LA:Location Area)が移行前のものから変化する場合、位置登録処理が行われることは勿論である。ステップＢ７のゾーン移行処理が行われた後、再びステップＢ１に戻ることになる。
【００３３】
このように、本発明の第一の実施例による移動機では、ＵＥ１が以前存在していたセルの履歴９を保持しておき、ＣＲ指示に応答して移行対象セルが履歴９にあるか否かを判断して、移行対象セルが以前存在していたセルである場合、ゾーン移行処理が抑制される。さらに、ＣＲ指示生成部７からのＣＲ指示の発生回数をＣＲカウンタ１０によりカウントし、ＣＲカウンタ１０のカウント値が所定回数に達した場合、履歴９の内容に関わらずゾーン移行処理をなすようにしている。これにより、ゾーン移行処理が効果的に抑制されるので、結果としてＬＡの境界付近における位置登録のバタツキを抑えることができ、よって、位置登録トラヒックの増加を防止できるのである。
【００３４】
次に、本発明の第二の実施例による移動機について図面を用いて説明する。図５は本発明の第二の実施例による移動機の構成を示す機能ブロック図であり、図２と同等部分は同一符号にて示している。図５に示した本発明の第二の実施例による移動機は図１に示した移動通信システムに用いられるものであるので、以下、本発明の第一の実施例による移動機に代えて、本発明の第二の実施例による移動機をＵＥ１と称す。
【００３５】
図５において、ＵＥ１は、制御回路２と、アンテナ３と、受信回路４と、ＳＣ検出部５と、電界強度測定部６と、ＣＲ指示生成部７と、メモリ８と、ＣＲカウンタ１０と、ゾーン移行規制タイマ１１と、送信回路１３とを有している。すなわち、図５に示したＵＥ１は、図２に示した本発明の第一の実施例による移動機にゾーン移行規制タイマ１１を付加したものである。
【００３６】
ゾーン移行規制タイマ１１は、制御回路２の制御により所定時間（タイマ値［ｍｓｅｃ］）を計時し、タイマ満了時にその旨を制御回路２に通知する。なお、タイマ値は、ＣＲ指示生成部７におけるＴselection より大きな値であり、メモリ８の不揮発領域で設定可能である。制御回路２は、ゾーン移行規制タイマ１１が所定時間を計時しているとき、すなわち、ゾーン移行規制タイマ１１が起動中であるときに、ＣＲ指示生成部７からＣＲ指示を受信した場合、ＣＲカウンタ１０のカウント値と履歴９とに応じて移行対象セルへのゾーン移行処理を抑制制御し、また、ゾーン移行規制タイマ１１からの通知に応答して、メモリ８内の履歴９の内容をクリアする。
【００３７】
次に、本発明の第二の実施例による移動機の動作について図面を用いて説明する。図６は図５に示した移動機の動作を説明するためのフローチャートである。図１，５及び６において、ＵＥ１のＰｈｙ−ｓｉｄｅは、図４に示した本発明の第一の実施例による移動機のＰｈｙ−ｓｉｄｅと同様に、ステップＡ１〜Ａ３の動作を行っている。
【００３８】
ＵＥ１のＲＲＣ−ｓｉｄｅは、ステップＣ１１におけるゾーン移行処理がなされた後、待ち受け状態となり（ステップＣ１）、制御回路２は、ＣＲカウンタ１０のカウント値をリセットする（ステップＣ２）。そして、制御回路２は、ステップＡ３におけるＣＲ指示生成部７からのＣＲ指示があった場合（ステップＣ３，Ｙｅｓ）、ゾーン移行処理をなすか、あるいは抑制するかを判断すべくステップＣ４に進むことになる。また、制御回路２は、ＣＲ指示がない場合（ステップＣ３，Ｎｏ）、ゾーン移行処理をなす必要がないので、ＣＲ指示を受信するまで待機することになる。
【００３９】
ステップＣ４において、制御回路２は、ＣＲカウンタ１０のカウント値と所定の最大ＣＲ指示回数値(MAX) とを比較して、カウント値が最大ＣＲ指示回数値に達している場合（ステップＣ４，Ｙｅｓ）、ゾーン移行処理をなす（ステップＣ１１）。また、制御回路２は、ＣＲカウンタ１０のカウント値が最大ＣＲ指示回数値より小である場合（ステップＣ４，Ｎｏ）、ゾーン移行規制タイマ１１が起動中であるか否かを判定する（ステップＣ５）。
【００４０】
制御回路２は、ゾーン移行規制タイマ１１が停止している場合（ステップＣ５，Ｎｏ）、ＳＣ検出部５により検出されたＳＣの内、ゾーン移行処理の際に選択すべき移行対象セルを示すＳＣを、履歴９に格納されているＳＣと順次比較する（ステップＣ６）。そして、制御回路２は、移行対象セルを示すＳＣが履歴９にある場合、すなわち移行対象セルが以前存在していたセル(OLD CELL)である場合（ステップＣ６，ＯＬＤ）、ＣＲカウンタ１０のカウント値をインクメントすると共に（ステップＣ７）、ゾーン移行規制タイマ１１を起動せしめ（ステップＣ８）、ステップＣ３に戻る。
【００４１】
また、制御回路２は、移行対象セルを示すＳＣが履歴９にない場合、すなわち移行対象セルが以前存在していたセル以外のセル(NEW CELL)である場合（ステップＣ６，ＮＥＷ）、ゾーン移行処理をなす（ステップＣ１１）。
【００４２】
ステップＣ５において、制御回路２は、ゾーン移行規制タイマ１１がタイマ値を計時している場合（ステップＣ５，Ｙｅｓ）、ステップＣ６と同様に履歴９を参照する（ステップＣ９）。そして、制御回路２は、移行対象セルが以前存在していたセルである場合（ステップＣ９，ＯＬＤ）、ＣＲカウンタ１０のカウント値をインクメントして（ステップＣ１０）、ステップＣ３に戻る。
【００４３】
また、制御回路２は、移行対象セルが以前存在していたセル以外のセルである場合（ステップＣ９，ＮＥＷ）、ゾーン移行処理をなす（ステップＣ１１）。ステップＣ１１において、制御回路２は、移行対象セルの内、適切な一の移行対象セルを選択して、ＵＥ１が現在存在するセル２００から選択された移行対象セルへ切替え、選択された移行対象セルを示すＳＣを履歴９に最新履歴として書込む。なお、ステップＣ１１のゾーン移行処理において、選択された移行対象セルへの移行によって、ＬＡが移行前のものから変化する場合、位置登録処理が行われることは勿論である。ステップＣ１１のゾーン移行処理が行われた後、再びステップＣ１に戻ることになる。
【００４４】
なお、ステップＣ８において、制御回路２の制御によりゾーン移行規制タイマ１１が起動された後、ゾーン移行規制タイマ１１は計時を続行するが、予め定められた時間（タイマ値）に達すると、制御回路２に対してタイマが満了した旨を通知する。すると、制御回路２は、ゾーン移行規制タイマ１１からの通知に応答して履歴９の内容をクリアする。したがって、タイマが満了した後のステップＣ３〜Ｃ５を経たステップＣ６において、履歴９にＳＣが格納されていないので、制御回路２は、移行対象セルが以前存在していたセル以外のセルであると判断し（ステップＣ６，ＮＥＷ）、ゾーン移行処理がなされて、選択された移行対象セルを示すＳＣが履歴９に書込まれることになる（ステップＣ１１）。
【００４５】
このように、本発明の第二の実施例では、第一の実施例の構成に加えて、ゾーン移行規制タイマ１１を設け、このタイマの起動中にＣＲ指示があっても移行対象セルが以前存在していたセルで(OLD CELL)あれば、ＣＲカウンタ１０の最大設定値（ＭＡＸ）に達するまではゾーン移行処理を行わないようにし、最大設定値に達して初めてゾーン移行処理を行うようにしている。もっとも、タイマ起動中の移行対象セルが新しいセル(NEW CELL)であれば、直ちにゾーン移行処理を行うものである。そして、タイマが予め設定されている時間に達すると、タイマ動作は終了し停止すると共に、履歴９をクリアして、初期動作に戻るようにしている。これにより、ゾーン移行処理がより効果的に抑制されるので、結果としてＬＡの境界付近における位置登録のバタツキを抑えることができ、よって、位置登録トラヒックの増加を防止できるのである。
【００４６】
なお、本発明の第一及び第二の実施例による移動機では、移行対象セルが１つである場合にゾーン移行処理が規制されると、移動機が現在存在しているセルを外れた場合、回線が即切断されることになる。したがって、移行対象セルが１つである場合は、安全のためゾーン移行処理を抑制しないようにしてもよい。
【００４７】
また、図１に示した移動通信システムの図示せぬネットワーク側に階層的セル構造(HCS:Hierarchical Cell Structure) を使用する方式がある。このＨＣＳ方式は、ネットワーク側がセルに優先順位を付け、優先順位の高いセルから他のセルへの移動機の移行が抑制される方式である。このようなＨＣＳ方式を使用した場合に、ＨＣＳ方式を使用していない場合の本発明の第一及び第二の実施例による移動機がなすゾーン移行処理の抑制と同様の方法を実施すると、現在存在しているセルに必要以上にとどまろうとして、回線が切れる可能性が高くなることがある。このため、ＨＣＳ方式の使用の有無に応じて、ＣＲカウンタ１０の最大ＣＲ指示回数値及びゾーン移行規制タイマ１１のタイマ値（本発明の第一の実施例による移動機では最大ＣＲ指示回数値のみ）を設定する必要がある。
【００４８】
次に、本発明の第三の実施例による移動機について図面を用いて説明する。図７は本発明の第三の実施例による移動機の構成を示す機能ブロック図であり、図５と同等部分は同一符号にて示している。図７に示した本発明の第三の実施例による移動機は図１に示した移動通信システムに用いられるものであるので、以下、本発明の第二の実施例による移動機に代えて、本発明の第三の実施例による移動機をＵＥ１と称す。
【００４９】
図７において、ＵＥ１は、制御回路２と、アンテナ３と、受信回路４と、ＳＣ検出部５と、電界強度測定部６と、ＣＲ指示生成部７と、メモリ８と、ＣＲカウンタ１０と、ゾーン移行規制タイマ１１、移動状態検出部１２と、送信回路１３とを有している。すなわち、図７に示したＵＥ１は、図５に示した本発明の第二の実施例による移動機に移動状態検出部１２を付加したものである。
【００５０】
ＣＲ指示生成部７は、生成したＣＲ指示を制御回路２に出力すると共に、移動状態検出部１２にも出力する。移動状態検出部１２は、ＣＲ指示生成部７からのＣＲ指示の頻度に応じて、ＵＥ１の移動状態が高速移動(High-mobility) 状態であるか低速移動(Low-mobility)状態であるかを判別し、判別した移動状態を制御回路２に通知する。具体的には、移動状態検出部１２は、ＣＲ指示生成部７からのＣＲ指示の頻度（一定時間内におけるＣＲ指示の発生回数）が大であれば、ＵＥ１が高速移動状態であると認識し、また、ＣＲ指示の頻度が小であれば、ＵＥ１が低速移動状態であると認識する。
【００５１】
メモリ８には、ＵＥ１が高速移動状態であるときに用いられるＣＲカウンタ１０の最大ＣＲ指示回数値及びゾーン移行規制タイマ１１のタイマ値と、ＵＥ１が低速移動状態であるときに用いられるＣＲカウンタ１０の最大ＣＲ指示回数値及びゾーン移行規制タイマ１１のタイマ値とが格納されている。
【００５２】
したがって、制御回路２は、移動状態検出部１２から通知された移動状態が高速移動状態であれば、メモリ８に格納されている高速移動状態用の最大ＣＲ指示回数値及びタイマ値を読出すことにより、ＣＲカウンタ１０の最大設定値が当該最大ＣＲ指示回数値に設定され、また、ゾーン移行規制タイマ１１により当該タイマ値が計時されることになる。また、制御回路２は、移動状態検出部１２から通知された移動状態が低速移動状態であれば、メモリ８に格納されている低速移動状態用の最大ＣＲ指示回数値及びタイマ値を読出すことにより、ＣＲカウンタ１０の最大設定値が当該最大ＣＲ指示回数値に設定され、また、ゾーン移行規制タイマ１１により当該タイマ値が計時されることになる。
【００５３】
このようにＵＥ１の移動状態に応じて最大ＣＲ指示回数値及びタイマ値が設定される他は、ＵＥ１の動作は、本発明の第二の実施例による移動機の動作と同様である。なお、高速移動状態用及び低速移動状態用の各最大ＣＲ指示回数値と各タイマ値は、ＵＥ１が運用される実網の状態等の諸条件により最適値が決定される。
【００５４】
上述のように、本発明の第三の実施例による移動機では、ＵＥ１の移動状態に応じて最大ＣＲ指示回数値及タイマ値を設定し、履歴９、ＣＲカウンタ１０及びゾーン移行規制タイマ１１を用いてゾーン移行処理を抑制するようにしている。
これにより、ＵＥ１の移動状態に応じた効果的なゾーン移行処理の抑制を実現することができるので、結果としてＬＡの境界付近における位置登録のバタツキを抑えることができ、よって、位置登録トラヒックの増加を防止できるのである。
【００５５】
なお、上記図４及び６に示した各フローチャートに従った処理動作は、予めＲＯＭ等の記憶媒体に格納されたプログラムを、ＣＰＵ（制御部）となるコンピュータに読み取らせつつ実行せしめることにより、実現できることは勿論である。
【００５６】
【発明の効果】
本発明による効果は、位置登録のバタツキ現象を抑えることができることである。その理由は、移動機の抑制制御手段が、セル選択指示に応答して、以前存在したことがあるセルの履歴を参照することにより、現在存在するセルから他のセルへの移行処理を抑制するようにしているので、現在存在するセルから他のセルへの移行によってＬＡが移行前のものから変化する場合になされる位置登録処理も抑制されるからである。
【００５７】
また、抑制制御手段は、セル選択指示が所定回数なされると、履歴の内容にかかわらず移行処理をなすようにし、さらに、時間のパラメータを追加して、所定時間内のセル選択指示の発生回数と履歴とを基にして移行処理が抑制制御されるようにしているので、より効果的な移行処理の抑制を実現することができる。
【図面の簡単な説明】
【図１】本発明の実施例の移動通信システムの構成を示す図である。
【図２】本発明の第一の実施例の移動機の構成を示す機能ブロック図である。
【図３】図２に示した履歴の構成例を示す図である。
【図４】図２に示した移動機の動作を説明するためのフローチャートである。
【図５】本発明の第二の実施例の移動機の構成を示す機能ブロック図である。
【図６】図５に示した移動機の動作を説明するためのフローチャートである。
【図７】本発明の第三の実施例の移動機の構成を示す機能ブロック図である。
【図８】在圏無線ゾーンの判定方法について説明するための図である。
【符号の説明】
１    ＵＥ
２    制御回路
３    アンテナ
４    受信回路
５    ＳＣ検出部
６    電界強度検出部
７    ＣＲ指示生成部
８    メモリ
９    履歴
１０    ＣＲカウンタ
１１    ゾーン移行規制タイマ
１２    移動状態検出部
１３    送信回路
２０，３０，４０    ＢＴＳ
２００，３００，４００    セル
【図１】
0004604432.tif 000002
【図２】
0004604432.tif 000003
【図３】
0004604432.tif 000004
【図４】
0004604432.tif 000005
【図５】
0004604432.tif 000006
【図６】
0004604432.tif 000007
【図７】
0004604432.tif 000008
【図８】
0004604432.tif 000009